(57)【要約】本発明の様々な態様による、物体の表面から電子イメージまたは光を表示する堅牢化発光ディスプレイシステムは、物体の空洞内に配設された弾性透過材料を備えることができ、物体の外面とほぼ同一平面となるように構成される表面を有することができる。緊密源は、物体内に配設することができ、物体の外面から光が見えるように弾性透過材料を通じて光を放射することができる。光源は、信号に応答して光源からの光の放射を制御することのできるマイクロコントローラを備える制御システムを有する集積回路板に電気的に結合することができる。マイクロコントローラは、集積回路板に電気的に結合することができ、物体の運動を検出するように構成することのできる運動センサから信号を受信することができる。
2013539055.tif 000002
【特許請求の範囲】
【請求項１】
物体から電子イメージおよび光の少なくとも一方を表示する堅牢化発光ディスプレイシステムであって、
前記物体の空洞内に配設された透過材料であって、前記透過材料の表面が、前記物体の外面とほぼ同一平面に配置されるように構成される、透過材料と、
前記物体内に配設され、前記透過材料を通じて光を放射するように構成された光源と、
前記物体内に配設され、第１のパワーコンジットによって前記光源に電気的に結合された集積回路板と、
前記物体内に配設され、前記集積回路板に電気的に結合された制御システムであって、信号に応答して光源からの光の放射を制御するように構成されたマイクロコントローラを備える、制御システムと、
前記物体内に配設され、前記集積回路板に電気的に結合された運動センサと、
前記物体内に配設され、前記集積回路板に電気的に結合されたメモリ記憶装置と
を備えることを特徴とする堅牢化発光ディスプレイシステム。
【請求項２】
前記透過材料および前記光源は、有機発光ダイオードおよび量子ドットの少なくとも一方であることを特徴とする請求項１に記載の堅牢化発光ディスプレイシステム。
【請求項３】
第２のパワーコンジットによって前記集積回路板に結合され、前記光源、前記運動センサ、前記メモリ記憶装置、および前記制御システムのうちの少なくとも１つに電力を供給するように構成された電源をさらに備えることを特徴とする請求項１に記載の堅牢化発光ディスプレイシステム。
【請求項４】
前記電源は、充電式電池、エネルギーハーベスティング電池、薄膜電池、リチウムポリマー電池、太陽電池、スーパーキャパシタ、およびアルカリ電池のうちの少なくとも１つを含むことを特徴とする請求項３に記載の堅牢化発光ディスプレイシステム。
【請求項５】
前記マイクロコントローラが、前記電源の電荷量および前記電源の充電を監視するように構成されることを特徴とする請求項１に記載の堅牢化発光ディスプレイシステム。
【請求項６】
スイッチをさらに備え、前記スイッチが、ユーザによって活動化および非活動化のうちの一方が前記スイッチに行われるとき、前記制御システムに前記信号を送信するように構成されることを特徴とする請求項１に記載の堅牢化発光ディスプレイシステム。
【請求項７】
前記光源が前記集積回路板上に直接的に電気的に結合されることを特徴とする請求項１に記載の堅牢化発光ディスプレイシステム。
【請求項８】
前記運動センサ、前記メモリ記憶装置、および前記制御システムが、前記集積回路板上に直接的に電気的に結合されることを特徴とする請求項１に記載の堅牢化発光ディスプレイシステム。
【請求項９】
前記信号は、運動、圧力、温度、および周辺光強度のうちの少なくとも１つを含むことを特徴とする請求項１に記載の堅牢化発光ディスプレイシステム。
【請求項１０】
前記透過材料は、アクリル材料、複合材料、プラスチック、光ファイバシート、および発光フィルムのうちの少なくとも１つを含むことを特徴とする請求項１に記載の堅牢化ディスプレイシステム。
【請求項１１】
前記物体の前記空洞に面する前記透過材料の表面に沿って配置された反射フィルムをさらに備え、前記反射フィルムが、前記光源から放射された光を、前記物体の前記外面とほぼ同一平面である前記透過材料の反対側に反射するように適合されることを特徴とする請求項１に記載の堅牢化発光ディスプレイシステム。
【請求項１２】
前記透過材料は、材料の少なくとも２つの層と、前記少なくとも２つの層の間に配設されたプリズムフィルムとを備えることを特徴とする請求項１に記載の堅牢化発光ディスプレイシステム。
【請求項１３】
前記光源は、発光ダイオード、電子ビデオディスプレイ、発光電気化学的電池、厚膜誘電体構成要素、およびマイクロディスプレイのうちの少なくとも１つを含むことを特徴とする請求項１に記載の堅牢化発光ディスプレイシステム。
【請求項１４】
前記光源が前記透過材料に近接して配置されることを特徴とする請求項１に記載の堅牢化発光ディスプレイシステム。
【請求項１５】
前記光源が前記透過材料内に埋め込まれることを特徴とする請求項１に記載の堅牢化発光ディスプレイシステム。
【請求項１６】
前記運動センサは、加速度計および圧電変換器の少なくとも一方を含むことを特徴とする請求項１に記載の堅牢化発光ディスプレイシステム。
【請求項１７】
ボードスポーツ媒体から電子イメージおよび光の少なくとも一方を表示する堅牢化発光ディスプレイシステムであって、
前記ボードスポーツ媒体の空洞内に配設された透過材料であって、前記透過材料の第１の表面が、前記物体の外面とほぼ同一平面に配置されるように構成される、透過材料と、
前記透過材料を通じて光を放射するように構成された光源と、
第１のパワーコンジットによって前記光源に電気的に結合された集積回路板であって、
信号に応答して前記光源からの光の放射を制御するように構成されたマイクロコントローラを備える、前記集積回路板上に電気的に結合された制御システムと、
前記集積回路板に電気的に結合された運動センサと、
前記集積回路板に電気的に結合されたメモリ記憶装置と
を備える、集積回路板と、
第２のパワーコンジットによって前記集積回路板に結合され、前記光源、前記運動センサ、前記メモリ記憶装置、および前記制御システムのうちの少なくとも１つに電力を供給するように構成された電源と
を備え、
前記光源および前記集積回路板が前記ボードスポーツ媒体内に配設され、前記ボードスポーツ媒体内に固定され、それによって前記光源および前記集積回路板が、前記ボードスポーツ媒体の外側の環境条件から保護され、
前記光源によって前記透過材料を通じて放射される光は、前記ボードスポーツ媒体の前記外側から見えることを特徴とする堅牢化発光ディスプレイシステム。
【請求項１８】
前記ボードスポーツ媒体は、従来型スケートボードまたはスノーボードの一方であり、前記スケートボードおよびスノーボードは、複数の層の構成要素材料を備えることを特徴とする請求項１７に記載の堅牢化発光ディスプレイシステム。
【請求項１９】
前記スケートボードおよびスノーボードの製造中に、前記光源、前記集積回路板、前記電源、および前記パワーコンジットのうちの少なくとも１つが、前記構成要素材料の前記層のうちの２つの間に埋め込まれることを特徴とする請求項１８に記載の堅牢化発光ディスプレイシステム。
【請求項２０】
前記集積回路板および前記電源が、前記スケートボードの端部に配置され、前記光源および前記透過材料が、前記スケートボードの下端側のホイールトラック間に配置されることを特徴とする請求項１８に記載の堅牢化発光ディスプレイシステム。
【請求項２１】
前記電源は、充電式電池、エネルギーハーベスティング電池、薄膜電池、リチウムポリマー電池、太陽電池、スーパーキャパシタ、およびアルカリ電池のうちの少なくとも１つを含むことを特徴とする請求項１７に記載の堅牢化発光ディスプレイシステム。
【請求項２２】
前記マイクロコントローラが、前記電源の電荷量および前記電源の充電を監視するように構成されることを特徴とする請求項１７に記載の堅牢化発光ディスプレイシステム。
【請求項２３】
前記透過材料および前記光源は、有機発光ダイオードおよび量子ドットの少なくとも一方であることを特徴とする請求項１７に記載の堅牢化発光ディスプレイシステム。
【請求項２４】
前記光源が前記集積回路板上に直接的に電気的に結合されることを特徴とする請求項１７に記載の堅牢化発光ディスプレイシステム。
【請求項２５】
前記信号は、運動、圧力、温度、および周辺光強度のうちの少なくとも１つを含むことを特徴とする請求項１７に記載の堅牢化発光ディスプレイシステム。
【請求項２６】
前記透過材料は、アクリル材料、複合材料、プラスチック、光ファイバシート、および発光フィルムのうちの少なくとも１つを含むことを特徴とする請求項１７に記載の堅牢化発光ディスプレイシステム。
【請求項２７】
前記物体の空洞に面する前記透過材料の表面に沿って配置された反射フィルムをさらに備え、前記反射フィルムが、前記光源から放射された光を、前記物体の前記外面とほぼ同一平面である前記透過材料の反対側に反射するように適合されることを特徴とする請求項１７に記載の堅牢化発光ディスプレイシステム。
【請求項２８】
前記透過材料は、材料の少なくとも２つの層と、前記層のうちの少なくとも２つの間に配設されたプリズムフィルムとを備えることを特徴とする請求項１７に記載の堅牢化発光ディスプレイシステム。
【請求項２９】
前記光源は、発光ダイオード、発光電気化学的電池、厚膜誘電体構成要素、およびマイクロディスプレイのうちの少なくとも１つを含むことを特徴とする請求項１７に記載の堅牢化発光ディスプレイシステム。
【請求項３０】
前記光源が前記透過材料に近接して配置されることを特徴とする請求項１７に記載の堅牢化発光ディスプレイシステム。
【請求項３１】
前記光源が前記透過材料内に埋め込まれることを特徴とする請求項１７に記載の堅牢化発光ディスプレイシステム。
【請求項３２】
スイッチをさらに備え、前記スイッチが、ユーザによって活動化および非活動化のうちの一方が前記スイッチに行われるとき、前記制御システムに前記信号を送信するように構成されることを特徴とする請求項１７に記載の堅牢化発光ディスプレイシステム。
【請求項３３】
前記運動センサは、加速度計および圧電変換器の少なくとも一方を含むことを特徴とする請求項１７に記載の堅牢化発光ディスプレイシステム。
【請求項３４】
ボードスポーツ媒体の表面から電子イメージおよび光の少なくとも一方を表示する方法であって、
前記ボードスポーツ媒体の空洞内に弾性透過材料を固定するステップであって、前記弾性透過材料の表面が、前記ボードスポーツ媒体の外面とほぼ同一平面となるように構成される、ステップと、
前記ボードスポーツ媒体内に光源を取り付け、前記光源によって放射される光が前記ボードスポーツ媒体の前記外面から見えるように、前記弾性透過材料を通じて光を放射するように前記光源を構成するステップと、
運動センサと、メモリ記憶装置と、信号に応答して前記光源からの光の放射を制御するように構成されたマイクロコントローラを備える制御システムとに集積回路板を電気的に結合するステップと、
前記運動センサ、前記メモリ記憶装置、および前記制御システムに電気的に結合される前記集積回路板に前記光源を電気的に結合し、前記ボードスポーツ媒体内に前記集積回路板を固定するステップと
を含むことを特徴とする方法。
【請求項３５】
前記ボードスポーツ媒体は、スケートボードおよびスノーボードの少なくとも一方を含み、前記スケートボードおよびスノーボードは、複数の層の構成要素材料を含むことを特徴とする請求項３４に記載のボードスポーツ媒体の表面から電子イメージまたは光の少なくとも一方を表示する方法。
【請求項３６】
前記スケートボードおよびスノーボードの製造中に、前記光源、前記集積回路板、前記運動センサ、前記メモリ記憶装置、および前記制御システムが、前記構成要素材料の前記層のうちの２つの間に埋め込まれることを特徴とする請求項３５に記載のボードスポーツ媒体の表面から電子イメージまたは光の少なくとも一方を表示する方法。
【発明の詳細な説明】
【技術分野】
【０００１】
本発明は、発光ディスプレイに関する。
【背景技術】
【０００２】
スケートボードおよびスノーボードは、様々なリクリエーション活動、スポーツ活動、および芸術活動で使用することのできる機器である。こうしたデバイスのユーザは、いくつかの共通点を共有することがある。例えば、ユーザは、機器の使用中にユーザの身体の一部をボードに当てることがある。スケートボーディングで使用されるボードは、デッキと呼ばれることがある。スノーボーディングで使用されるボードは、コアまたはベースと呼ばれることがある。ボード構築中に使用される構成要素材料は、特定のタイプのユーザに対処するように選ぶことができる。ユーザの年齢、サイズ、スキルレベル、スタイルなどの変動要素はすべて、ボードを製造するときに考慮される決定因子となることがある。
【０００３】
スケートボーディングとスノーボーディングの市場および文化は、非常に類似している。どちらの試みも、グローバルマーケット、広範なユーザ人口統計を有し、初期の人口統計境界から抜け出して成熟している。典型的なユーザに対処するように、多くの異なるジャンルのボードが入手可能であることがある。例えば、いくつかの一般的な変形体には、ロングボード、アクロバティックボード、フリースタイルボード、および初心者のボードが含まれることがある。さらに、ボードは、形状、サイズ、材料、カラー、アクセサリなどの注目を集める特徴を含むことがある。
【発明の概要】
【０００４】
本発明の様々な態様による、物体の表面から電子イメージまたは光を表示する堅牢化発光ディスプレイシステムは、物体の空洞内に配設された弾性透過材料を備えることができ、物体の外面とほぼ同一平面となるように構成される表面を有することができる。光源は、物体内に配設することができ、物体の外面から光が見えるように弾性透過材料を通じて光を放射することができる。光源は、信号に応答して光源からの光の放射を制御することのできるマイクロコントローラを備える制御システムを有する集積回路板に電気的に結合することができる。マイクロコントローラは、集積回路板に電気的に結合することができ、物体の運動を検出するように構成することのできる運動センサから信号を受信することができる。
【図面の簡単な説明】
【０００５】
発明を実施するための形態を参照することにより、それを以下の例示的な図と共に考慮するときに、本発明のより完全な理解を得ることができる。以下の図では、同様の参照番号は、各図全体にわたって同様の要素およびステップを指す。
【図１Ａ】光源が透過材料に近接して配置される、物体に結合された発光ディスプレイシステムの例示的実施形態の断面図を代表的に示す図である。
【図１Ｂ】光源が透過材料に近接して配置される、物体に結合された発光ディスプレイシステムの例示的実施形態の断面図を代表的に示す図である。
【図２Ａ】光源が透過材料に埋め込まれる、物体に結合された発光ディスプレイシステムの例示的実施形態の断面図を代表的に示す図である。
【図２Ｂ】光源が透過材料に埋め込まれる、物体に結合された発光ディスプレイシステムの例示的実施形態の断面図を代表的に示す図である。
【図３】集積回路板の例示的実施形態の概略を代表的に示す図である。
【図４Ａ】発光ディスプレイシステムに結合されたボードスポーツ媒体の例示的実施形態を代表的に示す図である。
【図４Ｂ】発光ディスプレイシステムに結合されたボードスポーツ媒体の例示的実施形態を代表的に示す図である。
【図５】光源が透過材料とは別々である発光ディスプレイシステムの例示的製造方法を代表的に示す流れ図である。
【図６】光源が透過材料内に埋め込まれる発光ディスプレイシステムの例示的製造方法を代表的に示す流れ図である。
【０００６】
図の要素およびステップは、簡単および明快のために示されるものであり、必ずしも特定のシーケンスまたは縮尺に従って表されたものではない。例えば、同時に、または異なる順序で実施することのできるステップが、本発明の実施形態の理解を向上させる助けとなるように図で示される。
【発明を実施するための形態】
【０００７】
機能ブロック構成要素および様々な処理ステップによって本発明を説明することがある。そのような機能ブロックは、指定の機能を実施し、様々な結果を達成するように構成された任意の数の構成要素によって実現することができる。例えば、本発明は、様々なプロセスステップ、装置、システム、方法などを利用することができる。さらに、物体の表面でルミネセンスを与える任意の数のシステムおよび方法と共に本発明を実施することができ、説明するシステムは、本発明に関する１つの例示的応用例に過ぎない。さらに、本発明は、物体の表面でルミネセンスを実装する任意の数の従来技術の技法を利用することができる。
【０００８】
図示し、説明する特定の実装は、本発明およびその最良の形態の例であり、その他の点で本発明の範囲をいかなる形でも限定するものではない。実際、簡潔のために、システムの従来の製造、接続、準備、および他の機能的側面は、詳細には説明しないことがある。さらに、様々な図で示す接続線は、様々な要素間の例示的機能関係および／またはステップを表すものとする。多くの代替または追加の機能関係または物理的接続が、実際のシステムでは提示されることがある。
【０００９】
本発明の様々な代表的実装を、物体の表面から電子イメージまたは光を表示するように構成された発光ディスプレイシステムを提供する任意のシステムまたは方法に適用することができる。物体は、発光ディスプレイシステムを収容および支持する任意の適切な媒体を含むことができる。例えば、物体は、スケートボード、スノーボード、サーフボード、ボディボードなどのボードスポーツ媒体でよい。物体はまた、身体防護衣またはヘルメットをも含むことができる。
【００１０】
本発明の様々な態様による例示的実施形態では、物体内に発光ディスプレイシステムの構成要素を密封し、発光ディスプレイシステムから放射される光が物体の外面から見えることを可能にする構成で物体に発光ディスプレイシステムを結合することができる。発光ディスプレイシステムの構成要素を物体内の任意の適切な位置に配置して、その使用条件を最適化することができる。例えば、任意の構成要素を物体の上端、下端、中央、正面、背面、またはスケートボードのトラック付近などの構造的に補強された部分に配置することができる。一実施形態では、発光ディスプレイシステムの１つまたは複数の構成要素は、物体内の密封された空洞を占有することができ、光がアクリル密封ウィンドウを通じて見える。空洞は、物体の製造中に作成することができる。別の実施形態では、物体の構成要素材料の層間でプレスするなどの任意の適切な方法で、発光ディスプレイシステムの構成要素を物体に組み込むことができる。
【００１１】
一実施形態では、発光ディスプレイシステムは、ユーザがオフおよび／またはオンすることのできる固定発光ディスプレイを備えることができる。別の実施形態では、発光ディスプレイシステムは、ユーザが制御することのできるプログラム可能ディスプレイを備えることができる。さらに別の実施形態では、発光ディスプレイシステムは、物体の運動を検出する運動センサからの信号などの信号に応答して、電子イメージまたは光を表示することができる。発光ディスプレイは、物体の１つ、複数、またはすべての表面から電子イメージまたは光を表示することができる。
【００１２】
任意の適切な構成で発光ディスプレイシステムの構成要素を物体に結合することができる。例えば、衝撃、破損、または過剰な摩耗から構成要素を保護することのできる位置に各構成要素を戦略的に配置するためなど、各構成要素を物体内の異なる位置に取り付けるために構成要素を別々に設けることができる。一実施形態では、発光ディスプレイシステムの構成要素は、１つまたはいくつかの層に取り付けることができ、物体の構成要素材料のいくつかの層間に、または物体の空洞内に挟むことのできる組立済みモジュールとして一体化することができる。
【００１３】
環境の物理的応力および使用中の過酷な条件による摩耗および損傷に抵抗するために堅牢化するように発光ディスプレイシステムを構成することができる。例えば、温度、湿度、雪、みぞれ、雨などの降水、塩水などの腐食性塩分が極端である可能性のある環境条件で発光ディスプレイシステムを使用することができる。さらに、ユーザは、直接的な鈍い力（ｄｉｒｅｃｔ  ｂｌｕｎｔ  ｆｏｒｃｅ）、鋭い物体の衝撃による力、曲げ、ねじりなどの物理的にストレスの多い衝撃力に発光ディスプレイシステムをさらすことがある。
【００１４】
一実施形態では、環境に対する露出から構成要素を保護するように、物体の１つまたは複数の空洞内、または物体の層間に発光ディスプレイシステムを配置することができる。別の実施形態では、発光ディスプレイシステムの構成要素は、摩耗に抵抗する材料をそれ自体備えることができる。例えば、構成要素は、耐久性を高めるように薄く、または柔軟にすることができる。
【００１５】
次に図１Ａ〜１Ｂおよび２Ａ〜２Ｂを参照すると、本発明の様々な態様による発光ディスプレイシステムを提供するシステムおよび方法を発光ディスプレイシステム１００によって代表的に示すことができる。いくつかの実施形態では、発光ディスプレイシステム１００は、光源１０２、集積回路板１０４、電源１０６、および１つまたは複数のパワーコンジット１１２を備えることができる。
【００１６】
集積回路板１０４は、基板でよい任意のプリント回路板を備えることができ、プリント回路板は、電子構成要素を機械的および電気的に支持することができる。一実施形態では、集積回路板１０４上に電子構成要素を直接印刷することができる。別の実施形態では、集積回路板１０４は、電子構成要素用の接続点を備えることができる。さらに別の実施形態では、集積回路板１０４は、直接的に取り付けられた電子構成要素と、電子構成要素用の接続点のどちらも備えることができる。
【００１７】
図３を参照すると、本発明の例示的実施形態では、集積回路板１０４は集積回路板３００でよい。半田付けや、ワイヤコネクタを使用するなどの従来型プロセスにより、集積回路板３００上に１つまたは複数の電子構成要素を電気的に直接結合することができる。別の実施形態では、１つまたは複数の電子構成要素を集積回路板３００から離れて配置し、パワーコンジット１１２によって集積回路板３００に電気的に結合することができる。
【００１８】
例示的実施形態では、本発明の様々な態様によれば、集積回路板３００は、マイクロコントローラ３０２、電池充電器３１０、運動センサ３１２、ＵＳＢ充電器３１４、および電池コネクタ３０６を備えることができる。マイクロコントローラ３０２、電池充電器３１０、運動センサ３１２、ＵＳＢ充電器３１４、および電池コネクタ３０６を集積回路板３００に直接的に電気的に結合することができる。一実施形態では、集積回路板３００は、１つまたは複数の直接的に電気的に結合された光源１０２、圧電変換器３０８、磁気誘導回路（図示せず）を備えることができる。別の実施形態では、光源１０２、圧電変換器３０８、および磁気誘導回路を集積回路板３００とは離れて配置することができ、パワーコンジット１１２（図示せず）によって集積回路板３００に電気的に結合することができる。さらに、別の実施形態では、集積回路板３００は、離れて配置した電源１０６を集積回路板３００にパワーコンジット１１２を介して電気的に結合する電源コネクタ３０６を備えることができる。
【００１９】
集積回路板３００は、物体１２０内の任意の適切な位置に組み込むことができる。図１Ａ〜１Ｂおよび２Ａ〜２Ｂに示すように、集積回路板１０４を物体１２０内に埋め込むことができる。例えば、物体１２０はスケートボードデッキまたはスノーボードベースでよく、以下で詳述するように、スケートボードデッキまたはスノーボードベースを作成する製造工程中に構成要素材料の２つの層間に集積回路板１０４を配設することができる。一実施形態では、集積回路板１０４をスケートボードデッキまたはスノーボードベースの先頭区間または尾部区間に配置することができ、パワーコンジット１１２が、集積回路板１０４から、物体１２０全体にわたって他の場所に配置することのできる光源１０２および／または電源１０６まで延びる。
【００２０】
一実施形態では、集積回路板１０４は、発光ディスプレイシステム１００の構成要素の様々な機能を制御するマイクロコントローラ３０２を備える制御システムを備えることができる。マイクロコントローラ３０２は、メモリ、ドライバ、クロック、マイクロプロセッサなどの任意の適切な電子構成要素を備えることができる。例えば、マイクロコントローラ３０２は、運動センサ３１２などの近接センサからのローカル信号に従って構成要素機能を制御することができ、かつ／またはリモートシステムからの通信に従って構成要素機能を制御するようにマイクロコントローラ３０２を適合させることができる。マイクロコントローラ３０２はまた、ユーザがコンピュータなどのインターフェースからデータをアップロードした後に、命令を処理し、発光ディスプレイシステム１００に命令を送信することのできるプログラム可能マイクロコントローラまたはＣＰＵを備えることができる。マイクロコントローラ３０２は、例えば、インターネット、イントラネット、エクストラネット、広域ネットワーク（「ＷＡＮ：Ｗｉｄｅ  Ａｒｅａ  Ｎｅｔｗｏｒｋ」）、ローカルエリアネットワーク（「ＬＡＮ：Ｌｏｃａｌ  Ａｒｅａ  Ｎｅｔｗｏｒｋ」）、ＷＩＦＩ、ＷＩＭＡＸ、衛星通信、中間ストレージシステム、無線周波数通信、Ｚｉｇｂｅｅ（登録商標）などのメッシュネットワークプロトコル、ワイヤレス８０２．１１ｇなどの、データを交換するための任意のシステムを通じて、データを送信、受信、および／または交換するように構成することができる。一実施形態では、ユーザは、ワイヤレスインターネット接続などを通じて、光源１０２を制御するプログラムまたは命令をマイクロコントローラ３０２にワイヤレスにアップロードすることができる。
【００２１】
マイクロコントローラ３０２は、信号を処理して光源１０２を制御することができる。マイクロコントローラ３０２は、光源１０２を発光させ、ビデオの再生、ブリンキング、ピクチャおよび／またはテキストの表示など、所望の光のカラーおよび／またはパターンを放射させることができる。
【００２２】
マイクロコントローラ３０２はまた、電源１０６などの他の構成要素と通信することができる。マイクロコントローラ３０２は、充電量が発光ディスプレイシステム１００を操作するのに十分であるという信号を電源１０６から受信することができ、その信号は、マイクロコントローラ３０２が電源充電器３１０を活動化するのを防止することができる。マイクロコントローラ３０２はまた、充電量が発光ディスプレイシステム１００を操作するのには不十分であるという信号を電源１０６から受信することができ、その信号の結果、マイクロコントローラ３０２は、電源充電器３１０を活動化して電源１０６を充電する。
【００２３】
マイクロコントローラ３０２は、スイッチ、メモリ装置、マイクロコントローラ、チップ、アンテナ、および／またはＵＳＢなどの通信ポートのうちの少なくとも１つを備えることができる。メモリ装置は、発光ディスプレイシステム１００の制御のための命令を送達することのできるランダムアクセスメモリや読取り専用メモリなどの、揮発性または不揮発性でよい埋込み技術または非埋込み技術でよい。マイクロコントローラ３０２のある実施形態は、カード、スティック、ディスク、他の記憶装置などの取外し可能メモリ装置を含むことができる。マイクロコントローラ３０２は、現存し、かつ／または後で将来に生産、開発、および／または実装される、当業者に周知のメモリ記憶装置を備えることができる。
【００２４】
一実施形態では、マイクロコントローラ３０２はスイッチを備えることができる。スイッチは、ボタン、タッチセンシティブパッド、アンテナ、ポート、またはユーザと発光ディスプレイシステム１００との間の情報の通信を容易にする任意の他のデバイスを備えることができる。一実施形態では、マイクロコントローラ３０２は、単独または一緒に動作して、命令を活動化し、非活動化し、または発光ディスプレイシステム１００に命令を課す複数の代表的要素を備えることができる。代表的実施形態は、発光ディスプレイシステム１００の任意の構成要素を制御することのできる中央演算処理装置（ＣＰＵ：ｃｅｎｔｒａｌ  ｐｒｏｃｅｓｓｉｎｇ  ｕｎｉｔ）に接続されたオン／オフスイッチを備えることができる。別の実施形態では、マイクロコントローラ３０２は、単純なオン／オフタッチパッド、および／または物体１２０がユーザによって握られ、またはユーザの無線周波数識別（ＲＦＩＤ：ｒａｄｉｏ−ｆｒｅｑｕｅｎｃｙ  ｉｄｅｎｔｉｆｉｃａｔｉｏｎ）信号に対して露出されたときに発光ディスプレイシステム１００を活動化および非活動化することのできるＲＦＩＤアンテナを備えることができる。
【００２５】
電源１０６が電気を供給してマイクロコントローラ３０２を駆動するように、パワーコンジット１１２により、集積回路板３００を通じてマイクロコントローラ３０２を電源１０６に電気的に結合することができる。一実施形態では、集積回路板１０４上にマイクロコントローラ３０２を直接的に電気的に結合することができる。
【００２６】
一実施形態では、マイクロコントローラ３０２は、物体１２０の運動に応答して光源１０２を発光させ、または発光させないことができる。例えば、運動センサ１０８、微小電子機械チップ、または他の適切なデバイスが、物体１２０の周りの環境を感知し、マイクロコントローラ３０２に信号を送信する。マイクロコントローラ３０２のある代表的実施形態は、物体１２０の周囲の光学的情報、運動的情報、熱的情報、または他の情報を収集することができ、情報に基づいてマイクロコントローラ３０２に信号を送信することができる。マイクロコントローラ３０２は、信号に応答して、光源１０２を発光させ、または発光させないことができる。
【００２７】
一実施形態では、運動センサ１０８は、物体１２０の特定の力またはｇ力を測定することなどによって物体１２０の適切な加速度を定量化することのできる加速度計などのデバイスを備えることができる。例えば、物体１２０は、ユーザが地面、凸凹の地形などの表面の上で乗り、かつ／またはトリックを行うために跳び越えるスケートボードでよい。加速度計は、スケートボードがより高い速度に達するときに表面の上のスケートボードの加速度を測定し、マイクロコントローラ３０２に信号を送信して、その信号に基づいて光源１０２を発光させ、または発光させない。別の例示的実施形態では、運動センサ１０８は、圧力、加速度、または力の適用を電荷に変換することのできる圧電変換器を備えることができ、電荷がマイクロコントローラ３０２によって検出される。
【００２８】
一実施形態では、図１Ａおよび２Ａを参照すると、図３に示す運動センサ３１２などの運動センサ１０８を集積回路板１０４上に直接的に電気的に結合することができる。別の実施形態では、図１Ｂおよび２Ｂを参照すると、運動センサ１０８は、集積回路板１０４とは独立したものでよく、集積回路板１０４に電気的に結合することができる。したがって、集積回路板１０４から離れた運動センサ１０８を物体１２０の別の部分に配置することができる。
【００２９】
光源１０２は、少なくとも１つの発光ダイオード（ＬＥＤ：ｌｉｇｈｔ  ｅｍｉｔｔｉｎｇ  ｄｉｏｄｅ）、有機発光ダイオード、発光電子機械セル、量子ドット、厚膜誘電体技術、マイクロディスプレイなどの、光を放射することのできる任意の適切な構造および／またはデバイスを備えることができる。一実施形態では、電源１０６が光源１０２を駆動するための電気を供給することができるように、パワーコンジット１１２を通じて光源１０２をマイクロコントローラ３０２に電気的に結合することができる。別の実施形態では、電気ワイヤコネクタおよび／または半田付け接続により、光源１０２をマイクロコントローラ３０２に直接的に電気的に結合することができる。
【００３０】
例示的実施形態では、光源１０２は、赤−緑−青ＬＥＤおよび／または蛍光体変換ＬＥＤなどの任意の適切なＬＥＤを備えることができる。任意の波長の光を放射するように光源１０２を構成することができる。一実施形態では、ＬＥＤは、窒化ガリウム、窒化インジウムガリウム、リン化ガリウムアルミニウムなどのガリウムベースの結晶を含むことができる。
【００３１】
発光ディスプレイシステム１００の別の代表的実施形態では、光源１０２は、厚膜誘電体発光技術（ＴＤＥＬ：ｔｈｉｃｋ  ｆｉｌｍ  ｄｉｅｌｅｃｔｒｉｃ  ｌｕｍｉｎｅｓｃｅｎｔ  ｔｅｃｈｎｏｌｏｇｙ）を備えることができる。一実施形態では、ＴＤＥＬは、厚膜技術と薄膜技術を組み合わせる蛍光ディスプレイを含むことができる。別の実施形態では、ＴＤＥＬは、透過性または不透明の材料および／またはフィルム間に挟まれる光源１０２でよい。ＴＤＥＬは、温度極限および運動衝撃の結果として生じることのある破損に極めて抵抗力のある任意の材料を備えることができる。
【００３２】
いくつかの実施形態では、光源１０２は、有機発光ダイオード（ＯＬＥＤ：ｏｒｇａｎｉｃ  ｌｉｇｈｔ  ｅｍｉｔｔｉｎｇ  ｄｉｏｄｅ）を備えることができる。光源１０２は、アクティブまたはパッシブマトリクスＯＬＥＤなどの任意の適切なＯＬＥＤを備えることができる。一実施形態では、アクティブマトリクスＯＬＥＤは、任意の物体１２０に取り付けることのできる低電力巻取り可能（ｒｏｌｌａｂｌｅ）ディスプレイを提供することができる。いくつかの実施形態では、光源１０２はまた、展性の必要が少ないディスプレイ向けに構成されるパッシブマトリクスＯＬＥＤ代替物を備えることができる。別の実施形態では、ＯＬＥＤは、エネルギー効率の良い光源とすることができるリン光ＯＬＥＤでよい。
【００３３】
いくつかの実施形態では、光源１０２は、有機リン光ディスプレイと共にルミネセンスを達成することのできる発光電気化学的電池（ＬＥＣ：ｌｉｇｈｔ  ｅｍｉｔｔｉｎｇ  ｅｌｅｃｔｒｏｃｈｅｍｉｃａｌ  ｃｅｌｌ）を備えることができる。さらに、ＬＥＣは、物体１２０の表面に印加されるときに静的ルミネセンスを与えるのに適していることのある、より低速なターンオン時間を有することができる。一実施形態では、ＬＥＣは、グラフェン、金、混合カーボンナノチューブ、およびポリマー発光ダイオードのうちの少なくとも１つを備えることができる。いくつかの実施形態では、光源１０２は、物体１２０に取り付けることのできる印刷フィルム（ｐｒｉｎｔｅｄ  ｆｉｌｍ）上に実装することのできるＬＥＣを備えることができる。
【００３４】
一実施形態では、光源１０２は１つまたは複数の量子ドットを備えることができる。量子ドット技術を用いる可能な変形形態は、電圧や光などの外部刺激に応答する光源１０２を備えることができる。別の実施形態では、量子ドット技術を光電池などの充電式電源でよい低電力フィルムと組み合わせることができる。量子ドット光源１０２のいくつかの実施形態は白色光を放射することができ、または量子ドットは、赤色光、緑色光、または青色光、または任意の別の電磁波長を生成することができる。
【００３５】
光源１０２の代表的実施形態は、現存し、かつ／または後で将来に生産、開発、および／または実装される、当業者に周知の任意のＬＥＤ、ＴＤＥＬ、ＯＬＥＤ、ＬＥＣ、および／または量子ドット技術を備えることができる。
【００３６】
図１Ａおよび１Ｂを参照すると、透過材料１１４に近接して光源１０２を配置することができ、透過材料１１４を通じて光を放射するように光源１０２を構成することができる。例えば、例示的実施形態では、１つまたは複数の光源１０２を透過材料１１４に直接隣接して配置することができ、パワーコンジット１１２は、光源１０２から、物体１２０全体にわたって他の場所にあることのできる電源１０６および／または集積回路板１０４まで延びる。光源１０２を物体１２０内に埋め込むことができる。例えば、物体１２０はスケートボードデッキまたはスノーボードベースでよく、以下で詳述するように、スケートボードデッキまたはスノーボードベースを作成する製造工程中に構成要素材料の２つの層間に光源１０２を配設することができる。
【００３７】
図２Ａおよび２Ｂを参照すると、光源１０２を透過材料１１４に埋め込むことができる。例えば、光源１０２をパワーコンジット１１２に電気的に結合することができ、パワーコンジット１１２は、光源１０２から電源１０６および／または集積回路板１０４まで延びることができる。本発明の例示的実施形態では、硬化および／または成形工程などの透過材料１１４の製造工程中に、パワーコンジット１１２に電気的に結合することのできる光源１０２を透過材料１１４に埋め込むことができる。
【００３８】
発光ディスプレイシステム１００は電源１０６を備えることができる。電源１０６は、電力を供給することのできる任意の適切な構造および／またはデバイスを備えることができる。例えば、本発明の様々な実施形態では、電源１０６は、エネルギーハーベスティング電池、充電式電池、ナノワイヤ電池、太陽電池、薄膜セル、リチウムポリマー電池、スーパーキャパシタ、ボタンセルまたはコインセル、アルカリ電池、多電極電池、エネルギーハーベスティング変換器、および／または固体充電式薄膜マイクロエネルギー蓄積デバイスなどの電池を備えることができる。
【００３９】
電源１０６はまた、太陽電池を備えることができ、かつ／または太陽電池に結合することができる。いくつかの実施形態では、太陽電池は、発光ディスプレイシステム１００に直接的または間接的に電力を供給することができ、電池などの蓄電媒体に太陽電池を接続することができる。様々な実施形態では、太陽電池は、薄膜技術、有機、ポリマー、および／またはシリコンベースの電池を含むことができる。
【００４０】
いくつかの実施形態では、電源１０６は、エネルギーハーベスティング変換器などの、加速度または運動の変化を介して電気エネルギーを生成するデバイスを備えることができる。一実施形態では、電源１０６は、スケートボードなどの物体に関連するアクセサリに取り付けられた電力生成機構から電力を導出することができる。例えば、電源１０６は、スケートボードに取り付けられたホイールに関連する回転エネルギーを使用することのできる発電器から電力を導出することができる。電源１０６は、現存し、かつ／または後で将来に生産、開発、および／または実装される、当業者に周知の任意の電池、蓄電デバイス、および／または電気生成デバイスを備えることができる。
【００４１】
図１Ａ〜１Ｂおよび２Ａ〜２Ｂに示すように、電源１０６をパワーコンジット１１２に電気的に結合することができ、パワーコンジット１１２は、電源１０６からの電気を伝達して、光源１０２および／または集積回路板３００の構成要素を駆動することができる。一実施形態では、電池は、取外し可能でよく、または半永久的もしくは永久的な構成で発光ディスプレイシステム１００の任意の構成要素に接続することができる。
【００４２】
電源１０６は、衝撃による力や極限温度に対する露出などの物理的または環境的応力による摩耗にかなり抵抗力のある電池を備えることができる。例示的実施形態では、電池は、摩耗から保護される位置で物体１２０に組み込むことのできる、かなり柔軟なリチウムポリマーパウチセル電池を備えることができる。例えば、物体１２０がスケートボードである場合、電池をスケートボードの尾部区間、および／またはホイールベースまたはトラック付近に配置することができる。
【００４３】
一実施形態では、充電回路への従来型直接的電気接続や、間接的充電方法などの任意の適切な方法で充電可能となるように電源１０６を構成することができる。例えば、一実施形態では、電源１０６に接続される磁気誘導回路１１０と共に、磁場を使用して受信側コイルにワイヤレスに電流を誘導する電磁誘導により、電源１０６を間接的に充電することができる。一実施形態では、図１Ｂおよび２Ｂに示すように、磁気誘導回路１１０は、集積回路板１０４とは別々のものでよく、集積回路板１０４に電気的に結合することができる。別の実施形態では、磁気誘導回路１１０を集積回路板１０４（図示せず）上に直接的に電気的に結合することができる。
【００４４】
例示的実施形態では、磁気誘導回路１１０は、物体１２０に組み込まれ、パワーコンジット１１２を通じて集積回路板１０４に電気的に結合されたＰｏｗｅｒｍａｔ受信機でよい。磁場をＰｏｗｅｒｍａｔマットで供給することができる。別の実施形態では、電源１０６は、集積回路板１０４に電気的に結合することのできる圧電変換器などで、環境からエネルギーを取り入れることによって間接的に充電することができる。
【００４５】
図１Ａ〜１Ｂおよび２Ａ〜２Ｂを参照すると、パワーコンジット１１２によって集積回路板１０４に電源１０６を電気的に結合することができる。電源１０６を物体１２０内の任意の適切な位置に埋め込むことができる。例えば、電源１０６が充電のために太陽エネルギーを必要とする場合、物体１２０の上端に電源１０６を配置することができる。一実施形態では、物体１２０は、スケートボードデッキまたはスノーボードベースでよく、以下で詳述するように、スケートボードデッキまたはスノーボードベースを作成する製造工程中に構成要素材料の２つの層間に電源１０６を配設することができる。本発明の例示的実施形態では、スケートボードデッキの尾部区間の集積回路板１０４近傍に電源１０６を配置することができる。
【００４６】
パワーコンジット１１２を電源１０６に電気的に結合し、光源１０２および集積回路板１０４に電力を供給することができる。パワーコンジット１１２は、電気などの電力を搬送することのできる任意の材料を備えることができる。例えば、パワーコンジット１１２は、固体または撚線、導体、厚膜誘電体技術、軟質電子基板、および／またはプリント回路板、厚膜、印刷、有機、無機電子技術、および／または取付けおよび伝導のための伸張性または軟質基板を備えることができる。いくつかの実施形態では、パワーコンジット１１２は、導電性材料を固定し、発光ディスプレイシステム１００の構成要素を取り付けるための任意の適切な媒体を備えることができる。
【００４７】
一実施形態では、パワーコンジット１１２は少なくとも１つのワイヤを備えることができる。いくつかの実施形態では、ワイヤは、固体ワイヤおよび／または撚線などの任意の導電性材料を備えることができる。代表的実施形態では、パワーコンジット１１２は、プラスチック樹脂に埋め込まれた固体または撚線を有するマルチワイヤボードを備えることができる。いくつかの実施形態では、パワーコンジット１１２を発光ディスプレイシステム１００の任意の構成要素に永続的に取り付けることができ、またはパワーコンジット１１２は取外し可能および／または相互交換可能でよい。パワーコンジット１１２はまた、発光ディスプレイシステム１００の任意の構成要素の取付けを可能にするように構成することもできる。
【００４８】
透過材料１１４は、可視光を完全または部分的に透過することのできる任意の適切な材料を含むことができる。例えば、透過材料１１４は、光源１０２から放射された光を透過することができる。一実施形態では、透過材料１１４は、パワーコンジット１１２、光源１０２、電源１０６、および／または集積回路板１０４の近傍でよい。いくつかの実施形態では、透過材料１１４は、アクリル、ポリカーボネート、および／または熱可塑性ポリマー、ガラス材料、ウレタンポリマーなどのエラストマー、マイラ（登録商標）などの二軸延伸ポリエチレンテレフタラート材料、および／または合成または有機起源の複合または非複合材料を含むことができる。透過材料１１４は、単一材料の１つもしくは複数の層、または異なる材料の複数の層を有することができ、任意の所望の弾性特性および／または光学的品質を達成する。
【００４９】
さらに、透過材料１１４は任意の適切な厚さを有することができる。例えば、本発明の例示的実施形態では、透過材料の厚さは、エッジ厚約１．２７ｍｍから厚さ３ｍｍまでの範囲でよい。
【００５０】
一実施形態では、透過材料１１４は、衝突による衝撃、および塩水などの環境汚染物質による侵食または摩耗に抵抗することができる。一実施形態では、透過材料１１４の光学品質は、変質に抵抗することができる。例えば、透過材料１１４は、普通なら透過材料１１４の表面の部分を不透明にする可能性があり、したがって光源１０２による光の透過を暗くする引っかきおよびすり減りに抵抗することのできる透明材料を含むことができる。透過材料１１４は、岩石、歩道縁石などの粗い表面に沿ったボードスライド、および硬い氷および雪によるすり減りに抵抗することができ、透過材料１１４は、スケートボードまたはスノーボードの底面上に構成される。透過材料１１４の抵抗により、光源１０２から放射された光が妨げられずに透過材料１１４を通じて透過することが可能となり、それによって透過材料１１４の最適な光学的品質が保持される。
【００５１】
図１Ａ〜１Ｂおよび２Ａ〜２Ｂを参照すると、物体１２０の空洞１２４内に透過材料１１４を配設することができる。空洞１２４は、物体１２０の１つまたは複数の側面内に作成された開口を備えることができ、空洞１２４全体を満たすことのできる透過材料１１４を受けるように構成することができる。一実施形態では、物体１２０が直面する表面からの損傷をさらに最小限に抑えるように、透過材料１１４の表面１２６を物体１２０の外面１２８とほぼ同一平面に配置するように構成することができる。物体１２０の外面１２８は、デザイン要素１２２で少なくとも部分的に覆うことができる。例えば、物体１２０がスケートボードである場合、スケートボードの外面が平滑となるように透過材料１１４をスケートボードの外面と同一平面に位置合せすることにより、普通なら透過材料１１４の露出縁部を捕える可能性のあるボードスライドによる衝撃などによる、透過材料１１４の側面に対する衝撃が防止される。例示的実施形態では、物体１２０の製造中に透過材料１１４を物体１２０の空洞内に固定することができる。
【００５２】
本発明の代表的実施形態では、透過材料１１４はアクリル材料を含むことができる。一実施形態では、アクリル材料は半透明、不透明、ティンテッド（ｔｉｎｔｅｄ）、カラード（ｃｏｌｏｒｅｄ）でよい。別の実施形態では、アクリル材料は平滑でよく、かつ／または透過材料１１４を通る光出力の向上などの所望の光学的特性を与えることのできる模様くぼみ（ｐａｔｔｅｒｎｅｄ  ｉｄｅｎｔａｔｉｏｎ）などの表面テクスチャを有することができる。アクリル材料は、光源１０２に結合したときに視覚的効果を与えることができる。例示的実施形態では、アクリル透過材料１１４は、Ａｓｔｒａ  Ｐｒｏｄｕｃｔｓ，  Ｉｎｃ．のＣｌａｒｅｘ（登録商標）キャストセルアクリルシートを含むことができる。
【００５３】
別の実施形態では、透過材料１１４は、ポリカーボネートまたは熱可塑性ポリマーを含むことができる。例えば、ポリマーは、ポリスチレン、セルロイド、ポリカーボネート、ポリエチレン、および／または他のポリマー材料の様々な混合物を含むことができる。ポリマーは、引っかきに抵抗することができ、強く、耐久性があり、かつ／または広い温度範囲にわたって安定性を有することができる。
【００５４】
透過材料１１４は、合成材料や有機材料などの複合または非複合材料を含むことができる。透過材料１１４の複合または非複合視覚特性は、透過材料１１４の色変化または不透明度もしくは反射特性の変化を実現することができる。一実施形態では、合成または有機起源の複合または非複合材料は、耐久性、反射性、安全性、強度、テクスチャ、機械加工もしくは成形の能力などの製造の容易さ、および／または廃棄の容易さを実現することができる。
【００５５】
閲覧者が発光ディスプレイシステム１００からの電子イメージおよび／または光の表示を見ることができるように、透過材料１１４を物体１２０上の任意の適切な位置に配置することができる。一実施形態では、物体１２０がスケートボードである図４Ａを参照すると、透過材料１１４は、スケートボードの下面に沿ってワインディングパターンを生成することができ、光の跡４０２を生成する。別の実施形態では、ステッカやペイントなどのデザイン要素１２２が、透過材料１１４の上にパターンを形成することができる。例えば、図４Ｂを参照すると、フレーミングヘア（ｆｌａｍｉｎｇ  ｈａｉｒ）を有するレースのステッカデザインが、透過材料１１４に重なる透明な口および目の部分を有することができる。光源１０２から放射される光４０２が、デザイン内に輝く目および輝く口を生成することができる。
【００５６】
本発明の例示的実施形態では、反射フィルム１１６を透過材料１１４の１つまたは複数の表面に貼付して、透過材料１１４を透過する光源１０２から放射された光を高め、強め、拡散し、および／または集中させることのうちの少なくとも１つを行うことができる。反射フィルム１１６は、光源１０２からの光を、横方向、上方、下方などの任意の適切な方向に向けることができる。例えば、透過材料１１４によって占有される空洞内などの物体１２０の内部部分に面する透過材料１１４の表面に、反射フィルム１１６を貼付することができる。光源１０２からの光は、反射フィルム１１６から、物体１２０の外面とほぼ同一平面にある透過材料１１４の反対側に反射することができる。物体１２０の外面への光の反射は、物体１２０の外面から見える光を強めることができる。
【００５７】
反射フィルム１１６は任意の適切な反射材料を含むことができる。一実施形態では、反射フィルム１１６は、３Ｍ（登録商標）が製造するＤｉａｍｏｎｄ  Ｇｒａｄｅ  ＤＧ３  Ｒｅｆｌｅｃｔｉｖｅ  Ｓｈｅｅｔｉｎｇ  Ｓｅｒｉｅｓ  ４０００再帰反射シーティング（ｒｅｔｒｏｒｅｆｌｅｃｔｉｖｅ  ｓｈｅｅｔｉｎｇ）を含むことができる。透過材料１１４のサイズおよび寸法に一致するように反射フィルム１１６を切断する、感圧性接着剤または積層プロセスを使用して透過材料１１４に反射フィルム１１６を固定するなどの任意の適切な方法を使用して、反射フィルム１１６を透過材料に貼付することができる。
【００５８】
一実施形態では、本発明の様々な態様によれば、プリズムフィルム１１８を透過材料１１４に貼付することができる。バックライティングの効率を向上させることなどにより、光源１０２から透過材料１１４を通じて放射される光の輝度を最大にするようにプリズムフィルム１１８を構成することができる。プリズムフィルム１１８は、強い光の必要が少なくなるために、光源１０２の電力消費を低減し、電源１０６が充電せずに光源１０２に電力を供給する時間を増大させることができる。
【００５９】
プリズムフィルム１１８は、透過材料１１４からの光の出口角を制御することのできるマイクロ複製プリズムコーン状構造（ｍｉｃｒｏ−ｒｅｐｌｉｃａｔｅｄ  ｐｒｉｓｍａｔｉｃ  ｃｏｎｅ−ｌｉｋｅ  ｓｔｒｕｃｔｕｒｅ）を含むシート材料を含むことができる。プリズムフィルム１１８上のコーン状構造は、コーン状構造に到達する、光源１０２によって放射された光を屈折させ、物体１２０の外面に（閲覧者に）光を向けることができる。プリズムフィルム１１８はまた、光がコーン状構造に到達し、所望の角度で脱出するまで、コーン状構造に到達しない光をリサイクルするように後方に反射することができる。例えば、一実施形態では、プリズムフィルム１１８は、３ＭのＶｉｋｕｉｔｉ  Ｔｈｉｎ  Ｂｒｉｇｈｔｎｅｓｓ  Ｅｎｈａｎｃｅｍｅｎｔ  Ｆｉｌｍ  ９０／２４（ＴＢＥＦ）を含むことができる。別の実施形態では、プリズムフィルム１１８は、透過材料１１４の側から放射される光の向きを変えるように構成することのできる、３ＭのＶｉｋｕｉｔｉ  Ｔｒａｎｓｍｉｓｓｉｖｅ  Ｒｉｇｈｔ  Ａｎｇｌｅ  Ｆｉｌｍ  ＩＩ（ＴＲＡＦ  ＩＩ）を含むことができる。さらに別の実施形態では、ＴＢＥＦおよびＴＲＡＦ  ＩＩフィルムをプリズムフィルム１１８として一緒に使用することができる。
【００６０】
一実施形態では、図１Ａ〜１Ｂおよび２Ａ〜２Ｂに示すように、透過材料１１４の２つの層間にプリズムフィルム１１８を配設することができる。光源１０２は、プリズムフィルム１１８に直面する透過材料１１４に向けて、透過材料１１４を通じて光を放射することができ、プリズムフィルム１１８は、光が物体１２０の表面に出るときの光の輝度を高めることができる。
【００６１】
任意の適切な物体、物品、デバイス、構成要素材料、および／または発光ディスプレイシステム１００との取付けおよび／または結合のための表面を含む物体１２０に発光ディスプレイシステム１００を結合することができる。例えば、物体１２０は、壁、建築材料、ボード、テーブル、ドア、木材、プラスチック、ヘルメット、複合表面、有機表面、合成表面、フィルム、および／または樹脂でよい。一実施形態では、物体１２０は、スケートボード、スノーボード、スノーまたはウォータースキー、そり、カイトボード、ボディボード、ウェイクボード、サーフボードなどのボードスポーツ媒体でよい。別の実施形態では、物体１２０は、消防士の防火衣、またはアンダールースト保護デフレクタや胸部および背部プロテクタなどのモトクロスの衣類などの衣類でよい。
【００６２】
任意の適切な方式で発光ディスプレイシステム１００を物体１２０に結合することができる。例えば、発光ディスプレイシステム１００を接着剤で結合、接着し、溶接し、埋め込み、ボルトおよび／またはねじなどのファスナで機械的に取り付けることができる。一実施形態では、物体１２０の製造中などに、発光ディスプレイシステム１００の１つまたは複数の構成要素を物体１２０の構成要素材料の１つまたは複数の層に結合し、またはそれらの間に挟むことができる。別の実施形態では、物体１２０を複数の方向、視点、または物体１２０の表面から見ることができるように、物体１２０の製造中に、透過材料１１４などの発光ディスプレイシステム１００の１つまたは複数の構成要素を、物体１２０の空洞、空間、またはくぼみ内に結合することができる。別の実施形態では、物体１２０から彫刻することのできる物体１２０のくぼんだ空洞内に、アクリルなどの透過材料１１４を取り付けることができる。
【００６３】
本発明の例示的実施形態では、図４Ａ〜４Ｂを参照すると、発光ディスプレイシステム１００は、スケートボードデッキ４００やスノーボードベース（図示せず）などの物体１２０に結合中に光４０２を放射することができる。様々な実施形態では、スケートボードデッキ４００またはスノーボードベースの表面内、または表面で発光ディスプレイシステム１００を実装することができる。スケートボードデッキ４００またはスノーボードベースは、任意の適切な構成要素材料を備えることができる。例えば、構成要素材料は、にかわなどの接着剤で互いに接着された複数の層のウッドベニヤを備えることができ、加圧金型などを使用して、接着されたウッドベニヤ層をスケートボードデッキ４００のための形状に成形することができる。一実施形態では、構成要素材料は、複数の層のウッドベニヤ、無垢材、合板、パーティクルボード、金属、金属合金、ガラス繊維、プラスチック、有機起源の複合材料、合成起源の複合物、および／または有機起源と合成起源の両方の材料からなる複合物を含むことができる。別の実施形態では、スノーボードベースまたはコアは、ウッドセンタまたはコア、ガラス繊維、複合材料、アクリル、鋼などの金属、およびポリマー材料のうちの少なくとも１つなどの複数の層の構成要素材料を含むことができる。
【００６４】
本発明の例示的実施形態では、発光ディスプレイシステム１００は、デザイン要素１２２などのデザイン要素を備えることができる。デザイン要素１２２は、発光ディスプレイシステム１００に芸術的装飾または様式化した装飾を与えることのできる任意の適切な材料を備えることができる。例えば、デザイン要素１２２は、スクリーン印刷、熱伝達工程、および接着剤、ファスナ、フック、およびループクロージュア（ｌｏｏｐ  ｃｌｏｓｕｒｅ）、および／またはそれらの組合せなどによって物体１２０に貼付されたステッカ、ペイント、および／または材料を備えることができる。一実施形態では、透過材料１１４にデザイン要素１２２を結合することができる。別の実施形態では、透過材料１１４と物体１２０の両方にデザイン要素１２２を結合することができる。
【００６５】
例示的実施形態では、デザイン要素１２２は、底面および／または頂面などのスケートボードデッキ４００の表面を覆う。デザイン要素１２２は、ルミネセンス４０２がデザイン要素１２２を通じて見えることを可能にする、カットアウト部分、半透明着色部分、スクリーン印刷されたメッシュ型の材料を有することができる。例えば、ルミネセンス４０２は、頭蓋骨、蛇、顔、動物、曲がりくねった経路、フレームなどの芸術的装飾を与えるように、デザイン要素１２２を通じて任意の形状のカットアウトパターンとして見える。
【００６６】
図５に、本発明の代表的実施形態を製造する例示的方法（５００）を示す。本発明の様々な態様による、発光ディスプレイシステム１００などの発光ディスプレイシステムを製造する方法は、マイクロコントローラ３０２を備える集積回路板に構成要素を電気的に結合することを含むことができる。構成要素は、運動センサ３１２、メモリ記憶装置、および電池充電器３１０を備えることができる（５０２）。光源１０２および電源１０６を集積回路板に電気的に結合することができる（５０４、５０６）。次いで、透過材料１１４によって占有される空洞に光源１０２が近接するように構成するように、集積回路板１０４、光源１０２、および電源１０６を物体１２０に埋め込むことができる（５０８）。物体１２０を作成する製造工程中に、スケートボードデッキのウッドベニヤの層間、スノーボードベースのプラスチックの層間などの材料の任意の２つの層間に、集積回路板１０４、光源１０２、および電源１０６を配設することができる。透過材料１１４の表面が物体の外面とほぼ同一平面に構成されるように、製造中に物体の空洞内に透過材料１１４を固定することができ、光源１０２から放射される光を物体の外面から見ることができる表示ウィンドウを作成する（５１０）。運動センサ３１２によって検出される物体の加速度の変化などの信号に応答して、マイクロコントローラ３０２によって光源１０２を発光させることができる（５１２）。発光時に光源１０２から放射される光は、物体の外面から見ることができる（５１４）。
【００６７】
図６に、本発明の代表的実施形態を製造する例示的方法（６００）を示す。本発明の様々な態様による、発光ディスプレイシステム１００などの発光ディスプレイシステムを製造する方法は、マイクロコントローラ３０２を備える集積回路板に構成要素を結合することを含むことができる。構成要素は、運動センサ３１２、メモリ記憶装置、および電池充電器３１０を備えることができる（６０２）。光源１０２をパワーコンジット１１２に電気的に結合し、透過材料１１４内に埋め込むことができ、したがってパワーコンジット１１２が、集積回路板１０４に電気的に結合するために、埋め込まれた光源１０２から、透過材料１１４から外側に延びる（６０４）。電源１０６を集積回路板に電気的に結合することができる（６０６）。次いで、集積回路板１０４および電源１０６を物体内に埋め込むことができる（６０８）。物体１２０を作成する製造工程中に、スケートボードデッキのウッドベニヤの層間、スノーボードベースのプラスチックの層間などの材料の任意の２つの層間に、集積回路板１０４および電源１０６を配設することができる。透過材料１１４の表面が物体の外面とほぼ同一平面に構成されるように、光源１０２が埋め込まれた透過材料１１４を製造中に物体１２０の空洞内に透過材料１１４を固定することができ、光源１０２から放射される光を物体の外面から見ることができる表示ウィンドウを作成する（６１０）。運動センサ３１２によって検出される物体の加速度の変化などの信号に応答して、マイクロコントローラ３０２によって光源１０２を発光させることができる（６１２）。発光時に光源１０２から放射される光は、物体の外面から見ることができる（６１４）。
【００６８】
上記の説明では、特定の例示的実施形態を参照しながら本発明を説明した。しかし、記載の本発明の範囲から逸脱することなく、様々な修正および変更を行うことができる。説明および図は、限定的にではなく例示的にみなされるべきであり、すべてのそのような修正は、本発明の範囲内に含まれるものとする。したがって、本発明の範囲は、単に上述の特定の例によってではなく、説明した包括的実施形態およびその法的均等物によって決定されるべきである。例えば、任意の方法またはプロセス実施形態で列挙したステップは、任意の適切な順序で実行することができ、特定の例で提示される明示的な順序に限定されない。さらに、任意のシステム実施形態で列挙される構成要素および／または要素は、様々な並べ換えで組み合わせて、本発明とほぼ同一の結果を生成することができ、したがって特定の例で列挙される特定の構成に限定されない。
【００６９】
利益、他の利点、および問題に対する解決策を特定の実施形態に関して上記で説明した。しかし、特定の利益、利点、または解決策を生じさせ、またはより顕著にすることのできる任意の利益、利点、問題に対する解決策、または任意の要素を、重要な、必要な、または不可欠な特徴または構成要素と解釈すべきではない。
【００７０】
「含む」、「備える」、またはその任意の変形は、非排他的包含を参照するものとし、したがって、要素のリストを含むプロセス、方法、物品、組成、システム、または装置は、列挙した要素のみを含むのではなく、明白に列挙せず、またはそのようなプロセス、方法、物品、組成、システム、もしくは装置に固有である他の要素も含むことができる。本発明の実施で使用される上述の構造、構成、アプリケーション、配合、要素、材料、または構成要素他の組合せおよび／または修正は、具体的には列挙していないものに加えて、本発明の一般的原理から逸脱することなく、変更することができ、あるいは特定の環境、製造仕様、設計パラメータ、または他の操作要件に対して具体的に適合させることができる。
【００７１】
例示的実施形態を参照しながら上記で本発明を説明した。しかし、本発明の範囲から逸脱することなく、例示的実施形態に対して変更および修正を行うことができる。上記および他の変更または修正は、本発明の範囲内に含まれるものとする。
【図１Ａ】
2013539055.tif 000003
【図１Ｂ】
2013539055.tif 000004
【図２Ａ】
2013539055.tif 000005
【図２Ｂ】
2013539055.tif 000006
【図３】
2013539055.tif 000007
【図４Ａ】
2013539055.tif 000008
【図５】
2013539055.tif 000009
【図６】
2013539055.tif 000010
【図４Ｂ】
2013539055.tif 000011
【国際調査報告】
2013539055.tif 000012
2013539055.tif 000013